(57)【要約】  回転操作により繰り出すことができ、且つ使用勝手のよい棒状物の形状とすることができる棒状物繰り出し容器を提供する。  棒状物繰り出し容器１０は、内周面に螺旋溝１２ａが形成される螺旋筒１２と、螺旋筒１２内に配設されて周面に軸方向に伸びる複数のスリット１４ａが形成される中筒１４と、中筒１４内に配設されて、前記各スリット１４ａに摺動可能に嵌め入れられる摺動片部１６ａを有すると共に、螺旋溝１２ａに摺動可能に嵌め入れられる突出部１６ｆを有し、角柱形状の棒状物２０を保持する棒状物ホルダ１６と、を備える。
2008146554.tif 000002
【特許請求の範囲】
【請求項１】
棒状物を回転操作により繰り出すことができるようになった棒状物繰り出し容器であって、
内周面に螺旋溝が形成される螺旋筒と、
螺旋筒内で回転可能に且つ軸方向に移動不能に配設されて周面に軸方向に伸びる複数のスリットが形成される中筒と、
中筒内に配設されて、前記各スリットに摺動可能に嵌め入れられる摺動片部を有すると共に、前記螺旋溝に摺動可能に嵌め入れられる突出部を有し、角柱形状の棒状物を保持可能な棒状物ホルダと、
を備え、中筒と螺旋筒との相対回転を生じせしめる操作によって棒状物を繰り出すことが可能であることを特徴とする棒状物繰り出し容器。
【請求項２】
前記中筒には２つの前記スリットが形成され、角柱形状の棒状物の稜線及び側面が奇数である場合には、前記棒状物ホルダの２つの前記摺動片部のうちの一方の摺動片部が角柱形状の棒状物の稜線に当接し、他方の摺動片部が角柱形状の棒状物の側面に当接し、角柱形状の棒状物の稜線及び側面が偶数である場合には、前記棒状物ホルダの２つの前記摺動片部のうちの両方の摺動片部が角柱形状の棒状物の側面または稜線に当接して、２つの摺動片部で棒状物を保持することを特徴とする請求項１記載の棒状物繰り出し容器。
【請求項３】
前記２つの摺動片部の横断面は、角柱形状の棒状物の稜線に適合するＶ字形状をなしており、角柱形状の棒状物の稜線及び側面が奇数である場合には、一方の摺動片部のＶ字形状に棒状物の稜線が適合し、他方の摺動片部のＶ字形状の両先端に棒状物の側面が当接することを特徴とする請求項２記載の棒状物繰り出し容器。
【請求項４】
前記２つの摺動片部の横断面は、角柱形状の棒状物の稜線に適合するＶ字形状と、角柱形状の棒状物の側面に適合する直線形状と、円柱形状の棒状物の曲面に適合する曲線形状と、をなす部分をそれぞれ有しており、角柱形状の棒状物の稜線及び側面が奇数である場合には、一方の摺動片部のＶ字形状に棒状物の稜線が適合し、他方の摺動片部の直線形状に棒状物の側面が当接し、円柱形状の棒状物の場合には、両方の摺動片部の曲線形状に棒状物の曲面が適合することを特徴とする請求項２記載の棒状物繰り出し容器。
【請求項５】
前記中筒は、螺旋筒の前部から突出しており、該突出した部分に操作部が設けられることを特徴とする請求項１ないし４のいずれか１項に記載の棒状物繰り出し容器。
【請求項６】
前記中筒の内周面の横断面の輪郭形状は、棒状物の外周面の横断面の角形形状を外接する円形形状とほぼ等しいかまたはやや大きい寸法の円形形状であることを特徴とする請求項１ないし５のいずれか１項に記載の棒状物繰り出し容器。
【請求項７】
前記棒状物繰り出し容器の前端には、棒状物の外周面の横断面の角形形状の輪郭形状とほぼ等しいかまたはやや大きい寸法の同じ角形形状の輪郭形状の横断面の内周面を有して棒状物が出入可能となった繰り出し口が設けられることを特徴とする請求項１ないし６のいずれか１項に記載の棒状物繰り出し容器。
【請求項８】
前記棒状物ホルダは、前記突出部が螺旋溝の前端部及び／または後端部に達したところで、該突出部が螺旋溝から外れて螺旋筒に対して空回り可能であることを特徴とする請求項１ないし７のいずれか１項に記載の棒状物繰り出し容器。
【発明の詳細な説明】
【技術分野】
【０００１】
本発明は、棒状物を回転操作によって繰り出すことができる棒状物繰り出し容器に関する。
【背景技術】
【０００２】
従来、この種の棒状物繰り出し容器としては、特許文献１に記載されたものが知られている。【０００３】
特許文献１に記載された棒状物繰り出し容器では、外筒の内面に螺旋溝を設け、外筒に対し回転自在で軸方向にロックする手段によって内筒を嵌装し、この内筒にスリットを設け、当該内筒にはこのスリットに案内される突起を有する棒状物ホルダを摺動自在に嵌め込み、前記螺旋溝にこの棒状物ホルダの突起を係合せしめ、内筒の前部に環状ストッパー部を形成して外筒の前端に当接して、環状ストッパー部の内径を外筒の内径よりも小さくしている。内筒の後端部に設けられた操作部を外筒に対して回転すると、内筒と一体的に回転する棒状物ホルダの突起が外筒の螺旋溝に螺合しているため、棒状物ホルダが内筒のスリットに案内されながら軸方向に移動し、棒状物ホルダに保持された棒状物を回転方向に応じて内筒より出没することができるようになっている。【０００４】
【特許文献１】実公平７−２８１４４号公報
【発明の開示】
【発明が解決しようとする課題】
【０００５】
特許文献１その他の多くの文献に記載の回転操作による棒状物繰り出し容器が対象とする棒状物は円柱形状をなしている。棒状物が円柱形状をしていれば３６０度の回転対称性を持つために、回転操作に適している。【０００６】
しかしながら、円柱形状の棒状物は使用に応じて先端が消耗して丸まってくると、角張っているところがなくなるため、棒状物を細かい部分に使用しようとした場合、使い勝手が悪くなるという問題がある。【０００７】
本発明はかかる課題に鑑みなされたもので、回転操作により繰り出すことができ、且つ使用勝手のよい棒状物の形状とすることができる棒状物繰り出し容器を提供することをその目的とする。
【課題を解決するための手段】
【０００８】
上記目的を達成するために、本発明は、棒状物を回転操作により繰り出すことができるようになった棒状物繰り出し容器であって、
内周面に螺旋溝が形成される螺旋筒と、
螺旋筒内で回転可能に且つ軸方向に移動不能に配設されて周面に軸方向に伸びる複数のスリットが形成される中筒と、
中筒内に配設されて、前記各スリットに摺動可能に嵌め入れられる摺動片部を有すると共に、前記螺旋溝に摺動可能に嵌め入れられる突出部を有し、角柱形状の棒状物を保持可能な棒状物ホルダと、
を備え、中筒と螺旋筒との相対回転を生じせしめる操作によって棒状物を繰り出すことが可能であることを特徴とする。【０００９】
前記中筒には２つの前記スリットが形成され、角柱形状の棒状物の稜線及び側面が奇数である場合には、前記棒状物ホルダの２つの前記摺動片部のうちの一方の摺動片部が角柱形状の棒状物の稜線に当接し、他方の摺動片部が角柱形状の棒状物の側面に当接し、角柱形状の棒状物の稜線及び側面が偶数である場合には、前記棒状物ホルダの２つの前記摺動片部のうちの両方の摺動片部が角柱形状の棒状物の側面または稜線に当接して、２つの摺動片部で棒状物を保持するように、できる。【００１０】
さらに、前記２つの摺動片部の横断面が、角柱形状の棒状物の稜線に適合するＶ字形状をなしており、角柱形状の棒状物の稜線及び側面が奇数である場合には、一方の摺動片部のＶ字形状に棒状物の稜線が適合し、他方の摺動片部のＶ字形状の両先端に棒状物の側面が当接するように、できる。【００１１】
または、前記２つの摺動片部の横断面が、角柱形状の棒状物の稜線に適合するＶ字形状と、角柱形状の棒状物の側面に適合する直線形状と、円柱形状の棒状物の曲面に適合する曲線形状と、をなす部分をそれぞれ有しており、角柱形状の棒状物の稜線及び側面が奇数である場合には、一方の摺動片部のＶ字形状に棒状物の稜線が適合し、他方の摺動片部の直線形状に棒状物の側面が当接し、円柱形状の棒状物の場合には、両方の摺動片部の曲線形状に棒状物の曲面が適合するように、できる。【００１２】
前記中筒が、螺旋筒の前部から突出しており、該突出した部分に操作部が設けられるようにできる。【００１３】
前記中筒の内周面の横断面の輪郭形状が、棒状物の外周面の横断面の角形形状を外接する円形形状とほぼ等しいかまたはやや大きい寸法の円形形状であるようにできる。【００１４】
棒状物繰り出し容器の前端には、棒状物の外周面の横断面の角形形状の輪郭形状とほぼ等しいかまたはやや大きい寸法の同じ角形形状の輪郭形状の横断面の内周面を有して棒状物が出入可能となった繰り出し口を設けることができる。【００１５】
前記棒状物ホルダは、前記突出部が螺旋溝の前端部及び／または後端部に達したところで、該突出部が螺旋溝から外れて螺旋筒に対して空回り可能とするとよい。【００１６】
任意には、前記中筒の内周面の横断面の輪郭形状が、棒状物の外周面の横断面の角形形状の輪郭形状とほぼ等しいかまたはやや大きい寸法の同じ角形形状とすることができる。【００１７】
また、任意には前記棒状物ホルダの各摺動片部が、角柱形状の棒状物の対応する側面にそれぞれ当接して、全摺動片部で棒状物を保持することができる。【００１８】
また、任意には、前記棒状物ホルダが、棒状物の後部を受ける受け部と、該受け部からその外側に突設されると共に軸方向に延びて棒状物の側面に当接する前記摺動片部とを有し、受け部には摺動片部の基部において切り込みが形成されており、該切り込みを変形させることで摺動片部は受け部に対して傾動可能となっており、組立時に摺動片部が受け部に対して傾動することによって摺動片部が前記中筒のスリット内に嵌め込まれることを可能とすることができる。
【発明の効果】
【００１９】
本発明によれば、角柱形状の棒状物を保持すると共に、該角柱形状の棒状物の繰り出しを行うことができるので、棒状物の先端が消耗して丸まってきても、角柱形状の棒状物の稜線を利用することができ、使い勝手がよいものとなる。中筒と螺旋筒との間の相対回転を生じせしめる回転操作によって、中筒と一体に回転する棒状物ホルダの突出部が螺旋筒の螺旋溝に沿って移動し、棒状物ホルダによって棒状物を螺旋筒及び中筒から繰り出すことができる。【００２０】
スリットの個数及び摺動片部の個数を少なくとも２つとすることにより、角形形状の棒状物を安定して保持することができる。摺動片部の個数を少なくすることで、スリットから棒状物ホルダを挿入し易い構成とすることができる。【００２１】
２つの摺動片部の横断面が、Ｖ字形状をなすことにより、角柱形状の棒状物の稜線及び側面が奇数の場合であっても、偶数の場合であっても、同じ形状をした２つの摺動片部で角柱形状の棒状物を保持することができる。【００２２】
２つの摺動片部の横断面が、Ｖ字形状と、直線形状と、曲線形状とをなす部分をそれぞれ有することにより、角柱形状の棒状物の稜線及び側面が奇数の場合であっても、偶数の場合であっても、円柱形状の棒状物であっても、同じ形状をした２つの摺動片部で角柱形状及び円柱形状の棒状物を保持することができる。【００２３】
中筒の内周面の横断面の輪郭形状が棒状物を外接する形状となることにより、棒状物を容器内で安定して保持することができる。【００２４】
棒状物繰り出し容器の繰り出し口の内周面の形状を棒状物の外周面の形状に合致させることにより、繰り出し口から棒状物を安定して繰り出すことができる。【００２５】
棒状物ホルダの突出部が螺旋溝の前端部及び／または後端部に達したところで、さらに、中筒と螺旋筒との相対回転が引き続いた場合には、突出部が螺旋溝から外れて棒状物ホルダが螺旋筒に対して空回り可能とすることにより、棒状物ホルダがさらに螺旋筒内を前後に移動することを防ぐことができ、中筒と螺旋筒との組立を壊すことを防ぐことができる。
【図面の簡単な説明】
【００２６】
【図１】本発明に係る棒状物繰り出し容器の実施形態を表す全体斜視図である。
【図２】図１の棒状物繰り出し容器の縦断面図である。
【図３】図１の棒状物繰り出し容器の分解斜視図である。
【図４】螺旋筒の（ａ）は側面図、（ｂ）は縦断面図、（ｃ）は背面図である。
【図５】中筒の（ａ）は側面図、（ｂ）は（ａ）のｂ−ｂ線に沿って見た断面図、（ｃ）は（ａ）のｃ−ｃ線に沿って見た断面図、（ｄ）は（ａ）のｄ−ｄ線に沿って見た断面図である。
【図６】棒状物ホルダの（ａ）は正面図、（ｂ）は側面図である。
【図７】外筒の（ａ）は縦断面図、（ｂ）は（ａ）のｂ−ｂ線に沿って見た断面図、（ｃ）は正面図である。
【図８】(ａ)は棒状物ホルダが傾動した状態を表す斜視図、（ｂ）は組立時の断面図である。
【図９】本発明に係る棒状物繰り出し容器の第２の実施形態を表す全体斜視図である。
【図１０】図９の棒状物繰り出し容器の縦断面図である。
【図１１】図９の棒状物繰り出し容器の分解斜視図である。
【図１２】螺旋筒の（ａ）は側面図、（ｂ）は縦断面図である。
【図１３】中筒の（ａ）は平面図、（ｂ）は側面図、（ｃ）は縦断面図、（ｄ）は（ｂ）のｄ−ｄ線に沿って見た端面図である。
【図１４】棒状物ホルダの（ａ）は正面図、（ｂ）は側面図である。
【図１５】棒状物ホルダの他の例を表す（ａ）は側面図、（ｂ）は正面図、（ｃ）は平面図である。
【図１６】図１５の棒状物ホルダを用いた棒状物繰り出し容器の分解斜視図である。
【図１７】図１５の棒状物ホルダで三角柱の棒状物を保持した状態を示す正面図である。
【図１８】図１７の状態の斜視図である。
【図１９】図１５の棒状物ホルダで四角柱の棒状物を保持した状態を示す正面図である。
【図２０】図１９の状態の斜視図である。
【図２１】棒状物繰り出し容器を筆記具の後端に取付けた例を示す断面図である。
【図２２】棒状物ホルダの更なる他の例を表す（ａ）は正面図、（ｂ）は平面図、（ｃ）は側面図、（ｄ）は斜視図である。
【図２３】図２２の棒状物ホルダで、（ａ）は四角柱の棒状物、（ｂ）は三角柱の棒状物、（ｃ）は円柱の棒状物、（ｄ）は（ａ）と異なる態様で四角柱の棒状物を保持した状態を示す正面図である。
【図２４ａ】図２２の棒状物ホルダで四角柱の棒状物を保持した状態を示す斜視図である。
【図２４ｂ】図２２の棒状物ホルダで三角柱の棒状物を保持した状態を示す斜視図である。
【図２４ｃ】図２２の棒状物ホルダで円柱の棒状物を保持した状態を示す斜視図である。
【符号の説明】
【００２７】
１０、３０  棒状物繰り出し容器
１２、３２  螺旋筒
１２ａ、３２ａ  螺旋溝
１４、３４  中筒
１４ａ、３４ａ  スリット
１６、３６、４６、６６  棒状物ホルダ
１６ａ、３６ｂ、３６ｃ、４６ｂ、６６ｂ  摺動片部
１６ｆ、３６ｄ、４６ｄ，６６ｄ  突出部
１６ｇ  切り込み
１８  外筒
１８ｄ、３４ｄ  繰り出し口
２０  棒状物
６８ａ  Ｖ字形状部
６８ｂ  直線形状部
６８ｃ  曲線形状部
【発明を実施するための最良の形態】
【００２８】
以下、図面を用いて本発明の実施の形態を説明する。
図１は本発明に係る棒状物繰り出し容器の第１の実施形態を表す全体斜視図、図２はその縦断面図、図３は分解斜視図である。【００２９】
図において、棒状物繰り出し容器１０は、内周面に螺旋溝１２ａが形成された螺旋筒１２と、螺旋筒１２内で螺旋筒１２に対して回転可能に且つ軸方向に移動不能に配設された中筒１４と、中筒１４内で中筒１４に対して回転不能に且つ軸方向に移動可能に配設されて棒状物２０を保持する棒状物ホルダ１６と、中筒１４に一体的に連結されて螺旋筒１２の外側に配設される外筒１８と、外筒１８の先端に着脱可能に被着されるキャップ１９とを有している。【００３０】
棒状物２０はこの例では、三角柱の形状をなしており、よって、その側方においては３つの側面と３つの稜線を有し、横断面形状は、３つの辺と３つの角を有する三角形、好ましくは正三角形となっている。棒状物２０としては、消しゴム、修正棒、筆記芯、蛍光芯、棒状糊、アイライナー芯、アイブロー芯、リップステック、リップグロス、コンシーラ等を例示することができる。【００３１】
螺旋筒１２は、図４に示すように、その外周面及び内周面の横断面の輪郭形状が基本的に円形となった、全体で円筒形状の筒であり、その内周面に螺旋溝１２ａが形成されており、外周面に環状リブ１２ｂが形成されている。そして、螺旋筒１２の後部は拡径されて、ローレットが形成された操作部１２ｃとなっている。螺旋筒１２の内周面の後部には前方に面した段部１２ｄが形成されており、段部１２ｄからさらに後方には、操作部１２ｃの内周側において後方へと突設される突設部１２ｅが形成されている。突設部１２ｅの外周面の横断面の輪郭形状は、棒状物２０の外周面の横断面の輪郭形状に合わせて三角形の形状となっている。【００３２】
中筒１４は、図５に示すように、その外周面の横断面の輪郭形状が基本的に円形、内周面の横断面の輪郭形状が基本的に三角形となった、筒である。外周面の横断面の輪郭形状である円形は、螺旋筒１２の内周面の横断面の輪郭形状の円形とほぼ同一またはやや小さい程度の大きさとなっている。ここで、やや小さいとは、中筒１４の外周面と螺旋筒１２の内周面との間に、両者の相対回転が可能なるクリアランスができる程度の寸法を言う。従って、螺旋筒１２内で中筒１４は、螺旋筒１２の内周面に摺接した状態で螺旋筒１２内に挿入されており、螺旋筒１２内で中筒１４はがたつくことなく回転可能となっている。但し、中筒１４の外周面には、ヒケ防止等のために複数の肉盗み部１４ｂが形成されているため、その輪郭形状は部分的に完全な円ではなく、円から適宜切欠かれたものとなっている。【００３３】
中筒１４の内周面の横断面の輪郭形状である三角形は、棒状物２０の外周面の横断面の輪郭形状の三角形とほぼ同一またはやや大きい程度の大きさとなっている。ここで、やや大きいとは、中筒１４の内周面と棒状物２０の外周面との間に、棒状物２０が円滑に摺動することができるクリアランスができる程度の寸法を言う。従って、中筒１４内で棒状物２０はがたつくことなく、軸方向に移動可能となっている。中筒１４の内周面の横断面の輪郭形状の三角形の辺の中央に当たる部分には、内周面と外周面を貫通するスリット１４ａが形成されている。３つのスリット１４ａは、中筒１４の最後部の閉塞された後部１４ｅと最前部の前鍔１４ｆとの間で軸方向に伸びており、その両端は開放されてはおらず閉じている。【００３４】
棒状物ホルダ１６は、図６に示すように、棒状物２０の後面を受けるべく、棒状物２０の後面形状とほぼ同じ形状をなした三角形の板状の受け部１６ｂを有している。受け部１６ｂの三角形の形状は、中筒の内周面の横断面の輪郭形状の三角形とほぼ同一またはやや小さい程度の大きさとなっている。ここで、やや小さいとは、中筒１４の内周面と受け部１６ｂとの間に、棒状物ホルダ１６が円滑に摺動することができるクリアランスができる程度の寸法を言う。【００３５】
受け部１６ｂの三角形の辺に当たる部分からは、３つのＬ字状の摺動片部１６ａが外側に突設されている。即ち、Ｌ字状の摺動片部１６ａは受け部１６ｂから受け部１６ｂの延長面上で外方に伸びる第１部分１６ｃと、第１部分１６ｃから略９０度折れ曲がって軸方向に延びる第２部分１６ｄと、第２部分１６ｄの内周面から内方に伸びる第３部分１６ｅとを有しており、第２部分１６ｄが前記中筒１４のスリット１４ａ内に摺動可能に嵌め入れられる。【００３６】
第２部分１６ｄの外周面のそれぞれの輪郭形状は、前記中筒１４の外周面の円形の輪郭形状の上にあり、つまり、棒状物ホルダ１６の摺動片部１６ａは、中筒１４の外周面とほぼ同一の面上にある。但し、摺動片部１６ａの第２部分１６ｄの外周面には、外径方向に突出した突出部１６ｆが形成されており、この突出部１６ｆは、中筒１４の外周面より突出して螺旋溝１２ａに摺動可能に嵌め入れられる。従って、３つの摺動片部１６ａからそれぞれ突出する突出部１６ｆの軸方向位置は、螺旋溝１２ａのピッチに合わせて互いに異なる位置となっている。【００３７】
第３部分１６ｅは、その内端が棒状物２０の側面に相当する部分に当接する位置まで伸びており、各第３部分１６ｅが棒状物２０の各側面を押えることで、全摺動片部１６ａで棒状物２０を保持することができる。【００３８】
受け部１６ｂには、摺動片部１６ａが突出する基部において切り込み１６ｇが形成されており、この切り込み１６ｇを変形させることによって摺動片部１６ａは、図８に示すように、受け部１６ｂに対して傾動することが可能となっており、従って、摺動片部１６ａは径方向に縮径動作することが可能となっている。【００３９】
外筒１８は、図７に示すように、その外周面及び内周面の横断面の輪郭形状が基本的に円形となった、全体で円筒形状の筒である。内周面の横断面の輪郭形状である円形は、螺旋筒１２の外周面の横断面の輪郭形状である円形とほぼ同一またはやや大きい程度の大きさとなっており、その内周面には、螺旋筒１２の環状リブ１２ｂと係合する環状溝１８ａが形成されている。ここでやや大きいとは、外筒１８の内周面と螺旋筒１２の外周面との間に、両者の相対回転が可能なるクリアランスができる程度の寸法を言う。【００４０】
また、外筒１８の内周面の前方には、後方に面した段部１８ｂと段部１８ｂから後方に延びて内径方向に突出する突起１８ｃが複数個形成されている。段部１８ｂには中筒１４の前端が当接して、中筒１４の前方位置が規制されると共に、該突起１８ｃは中筒１４の肉盗み部１４ｂに係合して、中筒１４と外筒１８とは一体的に回転可能に連結される。【００４１】
外筒１８の先端には、縮径された繰り出し口１８ｄが形成されており、繰り出し口１８ｄの内周面は中筒１４の内周面と連続する。よって、該繰り出し口１８ｄの内周面の横断面の輪郭形状である三角形は、棒状物２０の外周面の横断面の輪郭形状の三角形とほぼ同一またはやや大きい程度の大きさとなっている。ここで、やや大きいとは、繰り出し口１８ｄの内周面と棒状物２０の外周面との間に、棒状物２０が円滑に摺動することができるクリアランスができる程度の寸法を言う。【００４２】
キャップ１９は、外筒１８の繰り出し口１８ｄ及び螺旋筒１２の突設部１２ｅのそれぞれの外周面の横断面の輪郭形状の三角形に合致する内周面を持った形状をしており、それぞれに係止可能となっている。【００４３】
以上の部品から構成される棒状物繰り出し容器１０において、その組立を説明すると、まず、螺旋筒１２内に中筒１４を螺旋筒１２の前方から挿入して、中筒１４の後部１４ｅを螺旋筒１２の段部１２ｄに当接させる。次いで、中筒１４内に中筒１４の前方から棒状物ホルダ１６を挿入する。このときに、中筒１４のスリット１４ａは前鍔１４ｆによって先端が閉じているために、棒状物ホルダ１６の摺動片部１６ａに前鍔１４ｆの内側をくぐらせる必要がある。棒状物ホルダ１６の切り込み１６ｇによって摺動片部１６ａは傾動して径方向に縮径動作することができるようになっているため、その動作を利用して前鍔１４ｆをくぐらせ、３つの摺動片部１６ａの第２部分１６ｄを対応するスリット１４ａに嵌め入れることができる。このときに、中筒１４を螺旋筒１２に対して少し回転することにより、突出部１６ｆを、螺旋筒１２の螺旋溝１２ａ内に嵌め込むことができる。【００４４】
次いで、外筒１８を前方から螺旋筒１２に被せて、外筒１８の突起１８ｃを中筒１４の肉盗み部１４ｂに係合し、外筒１８の環状溝１８ａを螺旋筒１２の環状リブ１２ｂに係合する。最後に、棒状物ホルダ１６の３つの摺動片部１６ａの内側に棒状物２０を挿入し、キャップ１９を外筒１８の繰り出し口１８ｄに被着することで、組立が終了する。【００４５】
以上のようにして組み立てられた棒状物繰り出し容器１０を使用する際には、キャップ１９を取り外し、好ましくは、螺旋筒１２の突設部１２ｅに係止する。そして、螺旋筒１２の操作部１２ｃを外筒１８に対して回転する。この回転により、外筒１８と一体回転する中筒１４及び棒状物ホルダ１６と、螺旋筒１２との間で相対回転が発生し、棒状物ホルダ１６の突出部１６ｆは螺旋溝１２ａに沿って摺動し、棒状物２０を軸方向に移動させることができる。よって、操作部１２ｃの回転方向に応じて、棒状物２０を外筒１８の繰り出し口１８ｄから出し入れすることができて、使用に供することができる。【００４６】
この動作の際に、棒状物２０は螺旋筒１２に対して相対回転するのであるが、棒状物２０は、螺旋筒１２の内周面とは直接接触しないために、棒状物２０が円柱形状でなくてもその回転を行うことができる。【００４７】
また、棒状物ホルダ１６の摺動片部１６ａが棒状物２０の各側面を押えているために、棒状物２０を安定して保持することができる。さらには、中筒１４の内周面及び外筒１８の繰り出し口１８ｄの内周面の形状は、棒状物２０の外周面の形状に合致したものとなっているために、棒状物２０が安定して軸方向に移動することができる。【００４８】
棒状物２０は、複数の稜線を有しているために、使用に応じて先端が消耗して丸まっても、稜線を利用して細かい部分に使用することができ、使い勝手が良いものとなっている。【００４９】
尚、この図示した例では、中筒１４と外筒１８とが別部品であったが、一体部品として構成することも可能である。または、この図示した例で一部品として説明した部品を適宜複数部品として構成することも可能である。従って、繰り出し口を中筒と一体的に形成することも可能である。【００５０】
また、図示した例では、螺旋筒１２に操作部１２ｃが形成されていたが、これに限るものではなく、中筒１４の一部を螺旋筒１２から突出させて、その部分に操作部を形成することも可能である。突出させるのは、螺旋筒１２の後方でも前方でも、または、螺旋筒１２の後方または前方から螺旋筒１２の外側に伸びるものであってもよい。この場合には、外筒１８を省略することが可能であり、中筒１４を螺旋筒１２に対して直接軸方向に移動不能且つ相対回転可能に係止するとよい。図９〜図１４はその一例である。【００５１】
即ち、図９は、本発明に係る棒状物繰り出し容器の第２の実施形態を表す全体斜視図、図１０は縦断面図、図１１は分解斜視図である。【００５２】
この実施形態による棒状物繰り出し容器３０は、内周面に螺旋溝３２ａが形成された螺旋筒３２と、螺旋筒３２内で螺旋筒３２に対して回転可能に且つ軸方向に移動不能に配設された中筒３４と、中筒３４内で中筒３４に対して回転不能に且つ軸方向に移動可能に配設されて棒状物２０を保持する棒状物ホルダ３６と、中筒３４の先端に着脱可能に被着されるキャップ３９とを有している。【００５３】
螺旋筒３２は、図１２に示すように、その外周面及び内周面の横断面の輪郭形状が基本的に円形となった、全体で円筒形状の筒であり、その内周面に螺旋溝３２ａが形成されており、内周面の後端部に環状凹部３２ｂが形成されている。そして、螺旋筒３２の後部は縮径されて、その外周面にネジ部３２ｃが形成されている。螺旋溝３２ａの前端部及び／または後端部の付近において、螺旋溝３２ａでない山の部分の高さが低くなっており、これによって、棒状物ホルダ３６が螺旋溝３２ａの前端部及び／または後端部に達しても同じ方向への回転が続いたときに後述の棒状物ホルダ３６の螺旋溝３２ａに嵌め入れられる突出部３６ｄが螺旋溝３２ａを外れて山の部分を移動して棒状物ホルダ３６が空回りすることができるようになっている。【００５４】
中筒３４は、図１３に示すように、その外周面及び内周面の横断面の輪郭形状が基本的に円形となった、全体で円筒形状の筒である。外周面の横断面の輪郭形状である円形は、螺旋筒３２の内周面の横断面の輪郭形状の円形とほぼ同一またはやや小さい程度の大きさとなっている。ここで、やや小さいとは、中筒３４の外周面と螺旋筒３２の内周面との間に、両者の相対回転が可能なるクリアランスができる程度の寸法を言う。従って、螺旋筒３２内で中筒３４は、螺旋筒３２の内周面に摺接した状態で螺旋筒３２内に挿入されており、螺旋筒３２内で中筒３４はがたつくことなく回転可能となっている。【００５５】
中筒３４の内周面の横断面の輪郭形状である円形は、棒状物２０の外周面の横断面の輪郭形状の三角形を外接する外接円と同じかやや外接円よりも大きい程度の大きさとなっている。ここで、やや大きいとは、中筒３４の内周面と棒状物２０の外周面との間に、棒状物２０が円滑に摺動することができるクリアランスができる程度の寸法を言う。【００５６】
中筒３４の周面には円周方向に１８０度間隔で一対のスリット３４ａ、３４ａが形成されている。一対のスリット３４ａの前後端はそれぞれ開放されてはおらず閉じている。【００５７】
中筒３４のスリット３４ａよりも前方にある部分は螺旋筒３２から前方へと突出しており、拡径されてローレットが形成された操作部３４ｂとなっている。操作部３４ｂには周方向に１箇所、棒状物繰り出し容器転がり防止用の突出部３４ｆが形成されている。また、中筒３４の操作部３４ｂよりも前方にある部分は、縮径されたネジ部３４ｃとなっており、ネジ部よりもさらに前方にある部分は繰り出し口３４ｄとなっている。繰り出し口３４ｄの内周面の横断面の輪郭形状である三角形は、棒状物２０の外周面の横断面の輪郭形状の三角形とほぼ同一またはやや大きい程度の大きさとなっている。ここで、やや大きいとは、繰り出し口３４ｄの内周面と棒状物２０の外周面との間に、棒状物２０が円滑に摺動することができるクリアランスができる程度の寸法を言う。また、中筒３４の後端には、環状凸部３４ｅが形成されている。【００５８】
棒状物ホルダ３６は、図１４に示すように、棒状物２０の後面を受ける板状の受け部３６ａを有している。受け部３６ａは、円形が一部切欠かれた形状をしており、その円形は中筒３４の内周面の横断面の輪郭形状の円形とほぼ同一またはやや小さい程度の大きさとなっている。ここで、やや小さいとは、中筒３４の内周面と受け部３６ａとの間に、棒状物ホルダ３６が円滑に摺動することができるクリアランスができる程度の寸法を言う。【００５９】
受け部３６ａからは、対向する２つの摺動片部３６ｂ、３６ｃが軸方向に突設されている。それぞれの摺動片部３６ｂ、３６ｃは、中筒３４のスリット３４ａ内に摺動可能に嵌め入れられる。そして、一方の摺動片部３６ｂは棒状物２０の一つの稜線を支持可能な内周面形状を有している。他方の摺動片部３６ｃは、断面形状がＴ字状をなしており、前記稜線に対向する棒状物２０の側面の中央部を支持することができるようになっている。各摺動片部３６ｂ、３６ｃの外周面にはそれぞれ突出部３６ｄ、３６ｄが形成されており、これらの突出部３６ｄは螺旋溝３２ａに摺動可能に嵌め入れられる。【００６０】
キャップ３９は、中筒３４のネジ部３４ｃ及び螺旋筒３２のネジ部３２ｃに螺合可能となった雌ネジ部３９ａを有しており、それぞれに螺着可能となっている。また、その頂部にはストラップ取付部３９ｂが形成されている。【００６１】
以上の部品から構成される棒状物繰り出し容器３０において、その組立を説明すると、まず、棒状物ホルダ３６を中筒３４のスリット３４ａから挿入する。棒状物ホルダ３６は一対の摺動片部３６ｂ、３６ｃのいずれかからスリット３４ａに挿入し、スリット３４ａを拡大させることで簡単に中筒３４内に配設することができる。この例では摺動片部の数が少ないために、スリットから棒状物ホルダを簡単に中筒に挿入することができる。【００６２】
次いで、中筒３４を螺旋筒３２の前方から挿入して、中筒３４の環状凸部３４ｅを螺旋筒３２の環状凹部３２ｂに係合する。この挿入の際に、一対の摺動片部３６ｂ、３６ｃは互いに接近する方向に撓みながら、摺動片部３６ｂ、３６ｃの外周面に形成された突出部３６ｄを螺旋溝３２ａに嵌め込むことができる。【００６３】
そして、棒状物ホルダ３６の摺動片部３６ｂ、３６ｃの間に棒状物２０を挿入し、キャップ３９を中筒３４のネジ部３４ｃに螺着することで、組立が終了する。【００６４】
以上のようにして組み立てられた棒状物繰り出し容器３０を使用する際には、キャップ３９を取り外し、好ましくは、螺旋筒３２のネジ部３２ｃに螺着する。そして、中筒３４の操作部３４ｂを螺旋筒３２に対して回転する。この回転により、中筒３４及び中筒３４と一体回転する棒状物ホルダ３６と、螺旋筒３２との間で相対回転が発生し、棒状物ホルダ３６の突出部３６ｄは螺旋溝３２ａに沿って摺動し、棒状物ホルダ３６及び棒状物２０を軸方向に移動させることができる。よって、操作部３４ｂの回転方向に応じて、棒状物２０を中筒３４の繰り出し口３４ｄから出し入れすることができて、使用に供することができる。尚、棒状物ホルダ３６の突出部３６ｄが螺旋溝３２ａの前端部及び／または後端部に到達しても、中筒３４の回転を更に続けると、前述のように突出部３６ｄが螺旋溝３２ａを外れて山の部分を移動して棒状物ホルダ３６が空回りすることができ、これによって、棒状物ホルダ３６の軸方向の移動を防ぐために、棒状物ホルダ３６が無理やり軸方向に移動しようとして中筒３４を押圧して、中筒３４と螺旋筒３２との間の係合を外して組立を壊すことを防ぐことができる。【００６５】
繰り出し動作の際に、棒状物２０は螺旋筒３２に対して相対回転するのであるが、棒状物２０は、螺旋筒３２の内周面とは直接接触しないために、棒状物２０が円柱形状でなくてもその回転を行うことができる。【００６６】
また、棒状物ホルダ３６の摺動片部３６ｂ、３６ｃが棒状物２０の一つの稜線とその稜線に対向する側面を押えているために、棒状物２０を安定して保持することができる。さらには、中筒３４の繰り出し口３４ｄの内周面の形状は、棒状物２０の外周面の形状に合致したものとなっているために、棒状物２０が安定して軸方向に移動することができる。【００６７】
こうして、前実施形態と同様に棒状物２０の稜線を利用して細かい部分に棒状物２０を使用することができ、使い勝手が良いものとすることができる。【００６８】
尚、以上の図示した各例においては、棒状物２０は三角柱の形状をなしていたが、これに限ることなく、四角柱、またはそれ以上の多角柱といった任意の角柱形状とすることができる。棒状物２０の外周面の横断面の輪郭形状が四角形、またはそれ以上の多角形といった任意の角形形状であるのに併せて、中筒１４の内周面の横断面の形状も同じ角形形状とするとよい。併せて、棒状物ホルダ１６の摺動片部１６ａも角柱の棒状物２０の各側面または全側面のうちの選択された複数の側面を押さえることができるように、棒状物ホルダ１６に形成されるとよい。または、角柱の稜線及び側面の個数が偶数であれば、棒状物ホルダ３６の摺動片部３６ｂ、３６ｃは角柱の棒状物２０の対向する稜線または対向する側面を押さえることができるように、角柱の稜線及び側面の個数が奇数であれば、棒状物ホルダ３６の一方の摺動片部３６ｂは棒状物２０の稜線を押さえ、他方の摺動片部３６ｃは棒状物２０の側面を押さえることができるように、棒状物ホルダ３６に形成されるとよい。【００６９】
同様に、棒状物繰り出し容器３０の前端に設けた繰り出し口の内周面の横断面の輪郭形状も棒状物２０の外周面の横断面の輪郭形状と同じ角形形状とするとよい。【００７０】
図１５及び図１６は、棒状物２０の角柱形状が三角柱、四角柱、またはそれ以上の多角柱といった任意の角柱形状に好適に適用することができる棒状物ホルダの他の例を示す図である。この例による棒状物ホルダ４６は、円形の一部切り欠かれた形状をなした受け部４６ａと、受け部４６ａから互いに対向して軸方向に突出する２つの摺動片部４６ｂ、４６ｂとを有している。この例では、２つの摺動片部４６ｂ、４６ｂは同じ形状をなしており、その横断面の形状は、角柱形状の棒状物２０の稜線に適合するＶ字形状をなしている。この例のように、棒状物２０が三角柱の形状をなしているときには、一方の摺動片部４６ｂが棒状物２０の稜線に当接し、他方の摺動片部４６ｂが棒状物２０の側面に当接している。詳細には、一方の摺動片部４６ｂのＶ字形状の内部に棒状物２０の稜線が入り込み、他方の摺動片部４６ｂのＶ字形状の両先端が棒状物２０の側面に当接して、棒状物２０を保持するようになっている。各摺動片部４６ｂ、４６ｂの棒状物２０との当接する部分には適宜小突起が形成されているとよく、これによって棒状物２０の保持力を高めるとよい。そして、各摺動片部４６ｂ、４６ｂの外周面には、螺旋溝３２ａに摺動可能に嵌め入れられる突出部４６ｄ、４６ｄがそれぞれ形成される。【００７１】
組立時に、棒状物ホルダ４６の摺動片部４６ｂ、４６ｂの間に棒状物２０を挿入するときに、棒状物２０の上下の向きを配慮することなく、図１７（ａ）、（ｂ）、図１８（ａ）、（ｂ）に示すように、棒状物２０の稜線が上側にあっても、棒状物２０の稜線が下側にあっても、棒状物２０を挿入することができるので、作業性を向上させることができる。【００７２】
また、図１９（ａ）、図２０（ａ）に示すように、棒状物ホルダ４６で保持する棒状物２０が例えば四角柱であるときには、２つの摺動片部４６ｂ、４６ｂのそれぞれのＶ字形状の両先端が棒状物２０の対向する側面に当接して、棒状物２０を保持することができる。または、図１９（ｂ）、図２０（ｂ）に示すように、２つの摺動片部４６ｂ、４６ｂのそれぞれのＶ字形状の内部に棒状物２０の稜線が入り込むようにして、棒状物２０の対向する稜線に当接して、棒状物２０を保持することもできる。尚、同じ棒状物ホルダ４６を用いて各摺動片部４６ｂのＶ字形状の両先端で円柱形状の棒状物２０を保持することも可能である。【００７３】
摺動片部４６ｂ、４６ｂの数は、２つ以上とすることができるが、摺動片部４６ｂ、４６ｂを互いに対向する２個とすることにより、棒状物ホルダ４６を中筒３４に挿入する際に、中筒３４の同じく対向する２個のスリット３４ａのいずれか一方のスリット３４ａから簡単に挿入することができる。【００７４】
図２２は、棒状物２０の形状が三角柱、四角柱、またはそれ以上の多角柱といった任意の角柱形状や円柱形状に好適に適用することができる棒状物ホルダの更に他の例を示す図であり、（ａ）は正面図、（ｂ）は平面図、（ｃ）は側面図、（ｄ）は斜視図をそれぞれ示す。この例による棒状物ホルダ６６は、円形の一部切り欠かれた形状をなした受け部６６ａと、受け部６６ａから互いに対向して軸方向に突出する２つの摺動片部６６ｂ、６６ｂとを有している。この例では、２つの摺動片部６６ｂ、６６ｂは同じ形状をなしており、その互いに対向する側には、中央部の横断面の形状がＶ字状となったＶ字形状部６８ａと、該Ｖ字形状部６８ａの両端から外側に連なる横断面の形状が曲線状となった曲線形状部６８ｃと、曲線形状部６８ｃの端部から外側に連なる横断面の形状が直線状となった直線形状部６８ｂと、を有している。Ｖ字形状部６８ａは、角柱形状の棒状物２０の稜線に適合可能であり、直線形状部６８ｂは、角柱形状の棒状物２０の側面に適合可能であり、曲線形状部６８ｃは、円柱形状の棒状物２０の曲面に適合可能である。摺動片部６６ｂには、棒状物２０との当接する部分に適宜小突起６８ｄが形成されており、これによって棒状物２０に対する保持力が高められる。そして、各摺動片部６６ｂ、６６ｂの外周面には、螺旋溝３２ａに摺動可能に嵌め入れられる突出部６６ｄ、６６ｄがそれぞれ形成される。【００７５】
この例による棒状物ホルダ６６を用いて各形状の棒状物２０を保持する場合、棒状物２０が四角柱の形状（または偶数の稜線及び側面を持つ多角柱）をなしているときには、図２３（ａ）及び図２４ａに示すように、２つの摺動片部６６ｂ、６６ｂの互いに対向する直線形状部６８ｂが棒状物２０の側面にそれぞれ適合して、棒状部２０を保持するようになっている。または、図２３（ｄ）に示すように、２つの摺動片６６ｂ、６６ｂの互いに対向するＶ字形状部６８ａ、６８ａの内部に、四角柱の棒状物２０の互いに対向する稜線が入り込むようにして、棒状物２０を保持するようにしてもよい。【００７６】
また、棒状物２０が三角柱（または奇数の稜線及び側面を持つ多角柱）の形状をなしているときには、図２３（ｂ）及び図２４ｂに示すように、一方の摺動片部６６ｂのＶ字形状部６８ａの内部に棒状物２０の稜線が入り込み、他方の摺動片部６６ｂの直線形状部６８ｂ、６８ｂが棒状物２０の側面に適合して、棒状物２０を保持するようになっている。さらには、棒状物２０が円柱の形状をなしているときには、図２３（ｃ）及び図２４ｃに示すように、２つの摺動片部６６ｂ、６６ｂの互いに対向する曲線形状部６８ｃ、６８ｃが棒状物２０の曲面にそれぞれ適合して、棒状物２０を保持するようになっている。この例による棒状物ホルダ６６は、図２３（ａ）〜（ｄ）に示すように、１つの棒状物ホルダ６６で、角柱形状のみならず円柱形状の棒状物２０にも十分に対応することができる。【００７７】
摺動片部６６ｂ、６６ｂの数は、２つ以上とすることができるが、摺動片部６６ｂ、６６ｂを互いに対向する２個とすることにより、棒状物ホルダ６６を中筒３４に挿入する際に、中筒３４の同じく対向する２個のスリット３４ａのいずれか一方のスリット３４ａから簡単に挿入することができる。【００７８】
尚、以上の実施形態では、棒状物繰り出し容器が単体の容器とした例について説明したが、これに限るものではなく、図２１に示すように、棒状物繰り出し容器を筆記具等と組み合わせることも可能である。図２１では、棒状物繰り出し容器３０の棒状物が消しゴムであり、筆記具がシャープペンシル５０となっている。シャープペンシル５０は外筒５２を有し、公知のチャック５４、チャックリング５６及び芯タンク５８を備えた芯送り出し機構を有する。【００７９】
棒状物繰り出し容器３０の螺旋筒３２にはネジ部３２ｃの代わりに回り止め部３２ｄが形成されており、回り止め部３２ｄがシャープペンシル５０の芯タンク５８の後端に装着された継手６０内に相対回転不能に且つ着脱可能に挿入される。また、継手６０は、外筒５２に相対回転不能となっている。よって、キャップ３９を取り外しまたはキャップ３９を省略し、中筒３４の操作部３４ｂを外筒５２に対して回転することにより、角柱形状をなした消しゴムをシャープペンシル５０の後端から繰り出すことが可能である。
【図１】
2008146554.tif 000003
【図２】
2008146554.tif 000004
【図３】
2008146554.tif 000005
【図４】
2008146554.tif 000006
【図５】
2008146554.tif 000007
【図６】
2008146554.tif 000008
【図７】
2008146554.tif 000009
【図８】
2008146554.tif 000010
【図９】
2008146554.tif 000011
【図１０】
2008146554.tif 000012
【図１１】
2008146554.tif 000013
【図１２】
2008146554.tif 000014
【図１３】
2008146554.tif 000015
【図１４】
2008146554.tif 000016
【図１５】
2008146554.tif 000017
【図１６】
2008146554.tif 000018
【図１７】
2008146554.tif 000019
【図１８】
2008146554.tif 000020
【図１９】
2008146554.tif 000021
【図２０】
2008146554.tif 000022
【図２１】
2008146554.tif 000023
【図２２】
2008146554.tif 000024
【図２３】
2008146554.tif 000025
【図２４ａ】
2008146554.tif 000026
【図２４ｂ】
2008146554.tif 000027
【図２４ｃ】
2008146554.tif 000028
【国際調査報告】
2008146554.tif 000029
2008146554.tif 000030